(57)【要約】【課題】室内の配線類を少なくして建物の居住性を向上させ、かつ、来客応答の履歴や防犯装置の動作情報を集中的に管理して、装置の操作性や建物の防犯性を向上させる。【解決手段】建物の玄関に設置され、居住者を呼び出すための玄関子機３０と、建物内に設置され、玄関子機３０からの呼び出しに応答すると共に該玄関子機３０との交信を行うための親機１０と、親機１０と玄関子機３０との間で無線回線Ｌによる信号の送受信を行うための無線送受信部１１，３１とを備えたインターホン装置１において、親機１０の無線送受信部１１は、建物に設置した無線信号を送受信可能な電子錠４０−１、開閉監視センサ４０−２、破壊検知センサ４０−３などの防犯装置４０との間で無線回線Ｌによる信号の送受信を行う機能を備えており、親機１０は、無線送受信部１１を介して防犯装置４０に対する遠隔操作及び防犯装置４０の動作情報の管理が行える。【選択図】図１
2010200094.tif 000002
【特許請求の範囲】
【請求項１】
建物の玄関に設置され、建物内の者を呼び出すための玄関子機と、
建物の内部に設置され、前記玄関子機からの呼び出しに応答すると共に該玄関子機との
交信を行うための親機と、
前記親機と前記玄関子機との間で無線回線による信号の送受信を行うための無線送受信
手段と、
を備えたインターホン装置において、
前記親機が備える無線送受信手段は、建物に設置した無線信号を送受信可能な防犯装置
との間で無線回線による信号の送受信を行う機能を備えており、
前記親機は、前記無線送受信手段を介して前記防犯装置に対する遠隔操作及び前記防犯
装置に関する動作情報の管理が行える
ことを特徴とするインターホン装置。
【請求項２】
前記防犯装置は、建物のドア又は窓に設置する電子錠、前記ドア又は窓の開閉を監視す
る開閉監視センサ、前記ドア又は前記窓に対する破壊行為の有無を検知する破壊検知セン
サの少なくともいずれかである
ことを特徴とする請求項１に記載のインターホン装置。
【発明の詳細な説明】
【技術分野】
【０００１】
本発明は、建物の玄関などに設置される玄関子機と、該玄関子機の呼び出しに応答する
ために建物の内部に設置される親機とを備えたインターホン装置に関する。
【背景技術】
【０００２】
従来、例えば特許文献１に示すように、来客が居住者を呼び出すために建物の玄関に設
置される玄関子機と、居住者が玄関子機の呼び出しに応答するために居室に設置される親
機とを備えたインターホン装置がある。そして、このようなインターホン装置では、従来
、玄関子機と親機とが２線ケーブルなどの配線を介して有線接続されているのが一般的で
ある。
【０００３】
一方、建物の防犯対策として、従来、玄関ドアに電子錠を備え付けたり、玄関ドアや窓
ガラスの開閉を監視する開閉監視センサを設置したり、窓ガラスに対する破壊行為の有無
を検知するガラス破壊センサを設置したりすることが行われている。これら電子錠や開閉
監視センサやガラス破壊センサは、玄関ドアや窓ガラスが不正に開けられた場合や、破壊
されそうになった場合に警報音を発する機能などを備えており、建物への不法侵入を効果
的に防止することができる。
【０００４】
これら電子錠や開閉監視センサやガラス破壊センサなどの防犯装置は、それぞれが別個
に機能するものが一般的であるが、中には、玄関ドアや窓ガラスに取り付けた防犯装置を
建物内の一箇所で制御可能な主装置を備えたものがある。また、このような主装置には、
複数のドアや窓に設置した防犯装置を一括して制御できるものがあり、そのような主装置
によれば、建物内の一箇所で複数の防犯装置を集中的に管理できるので、非常に便利であ
る。
【先行技術文献】
【特許文献】
【０００５】
【特許文献１】特開２００６−１３５６２５号公報
【発明の概要】
【発明が解決しようとする課題】
【０００６】
ところで、上記のような玄関子機と親機とが有線で接続されているインターホン装置で
は、建物内の玄関から居室まで配線を取り回す必要があり、インターホン装置の設置工事
に手間と時間がかかる。また、配線を壁や床下などに埋設できない場合、取り回した配線
が壁面や天井などに露出した状態で配設されるため、室内の美観や良好な居住性が損なわ
れるおそれがあった。
【０００７】
また、上記のような玄関子機と親機を備えたインターホン装置と、防犯装置を管理する
主装置とを同じ建物内に設置すると、装置の設置点数が増えて居室が手狭になったり、装
置の管理が煩雑になったりするという問題がある。また、上記のような主装置を備えた防
犯装置では、玄関ドアなどに設置する電子錠や開閉監視センサと主装置との間を有線で接
続したものがある。このような装置では、インターホン装置に関する配線類と、防犯装置
に関する配線類との両方が室内に取り回された状態になるため、室内の配線類が煩雑にな
る。特に、ワンルームやそれに近いサイズの賃貸住宅などでは、居住性向上のため室内の
設備を出来るだけ簡素にすることが求められる。そのため、室内に取り回される配線類は
出来る限り少なくすることが望ましい。また、インターホン装置や防犯装置の取扱性向上
や、建物の防犯性を高めるためには、インターホン装置による来客応答の履歴などの情報
と防犯装置の動作情報との両方を一括して管理できるようにすることが望ましい。
【０００８】
本発明は上述の点に鑑みてなされたものであり、その目的は、室内に取り回す配線類を
少なくして建物の居住性を向上させることができ、かつ、来客応答の履歴や防犯装置の動
作情報を集中的に管理でき、装置の操作性や建物の防犯性を向上させることができるイン
ターホン装置を提供することにある。
【課題を解決するための手段】
【０００９】
上記課題を解決するための本発明は、建物の玄関に設置され、建物内の者を呼び出すた
めの玄関子機（３０）と、建物の内部に設置され、玄関子機（３０）からの呼び出しに応
答すると共に該玄関子機（３０）との交信を行うための親機（１０）と、親機（１０）と
玄関子機（３０）との間で無線回線（Ｌ）による信号の送受信を行うための無線送受信手
段（１１，３１）と、を備えたインターホン装置（１）において、親機（１０）が備える
無線送受信手段（１１）は、建物に設置した無線信号を送受信可能な防犯装置（４０）と
の間で無線回線（Ｌ）による信号の送受信を行う機能を備えており、親機（１０）は、無
線送受信手段（１１）を介して防犯装置（４０）に対する遠隔操作及び防犯装置（４０）
の動作情報の管理が行えることを特徴とする。
【００１０】
本発明にかかるインターホン装置によれば、玄関子機と親機との間で無線回線による信
号の送受信を行う無線送受信手段は、建物に設置した無線信号を送受信する機能を有する
防犯装置との間でも無線による信号の送受信を行う機能を備えている。そして、このイン
ターホン装置の親機は、無線送受信手段を介して防犯装置に対する遠隔操作及び防犯装置
の動作情報の管理が行えるようになっている。したがって、インターホン装置の親機で玄
関子機との交信及び防犯装置の制御を集中的に行えるので、防犯装置を含むインターホン
装置の操作性が向上する。また、インターホン装置による来客応答の履歴や防犯装置の動
作履歴を集中的に管理できるようになるので、建物の防犯性を向上させることができる。
また、玄関子機及び防犯装置と親機との間で無線回線による信号の送受信を行う無線送受
信手段を備えたことで、インターホン装置及び防犯装置に関する配線類が不要となるため
、建物の室内に配設する配線類が少なくなり、室内の美観や居住性が向上するとともに、
インターホン装置の設置が簡単に行えるようになる。
【００１１】
また、このインターホン装置では、親機（１０）による遠隔操作が可能な防犯装置（４
０）は、建物のドア（４１）に設置する電子錠（４０−１）、あるいはドア（４１）又は
窓（４２）の開閉を監視する開閉監視センサ（４０−２）、あるいはドア（４１）又は窓
（４２）に対する破壊行為の有無を検知する破壊検知センサ（４０−３）の少なくともい
ずれかであってもよい。これによれば、電子錠や開閉監視センサや破壊検知センサなどの
防犯装置で検出したドアや窓に対する不正行為の有無をインターホン装置の親機で把握で
きるようになると共に、複数種類の防犯装置の動作履歴をインターホン装置の親機で一括
して管理できるようになる。したがって、防犯装置の取扱性及び建物の防犯性を向上させ
ることができる。
【００１２】
また、このインターホン装置では、無線送受信手段（１１，３１）が使用する無線回線
（Ｌ）の交信周波数は、２．４ＧＨｚであることが望ましい。これによれば、従来、宅内
の無線回線の周波数帯として広く用いられていた４２６ＭＨｚなどの周波数帯と比較して
、無線送受信手段に用いるアンテナを小型化できるので、インターホン装置の玄関子機や
親機、及びドアや窓に設置する各種防犯装置のコンパクト化を図ることができる。また、
親機と玄関子機及び防犯装置との交信状態を安定させることができる。
なお、ここでの括弧内の符号は、後述する実施形態の対応する構成要素の符号を本発明
の一例として示したものである。
【発明の効果】
【００１３】
本発明にかかるインターホン装置によれば、建物の室内に取り回す配線類を少なくして
建物の居住性を向上させることができ、かつ、玄関子機による来客応答の履歴や防犯装置
の動作情報をインターホン装置の親機で集中的に管理でき、装置の操作性や建物の防犯性
を向上させることができる。
【図面の簡単な説明】
【００１４】
【図１】本発明の一実施形態にかかるインターホン装置の機能構成を示す概念図である。
【発明を実施するための形態】
【００１５】
以下、添付図面を参照して本発明の実施形態を詳細に説明する。図１は、本発明の一実
施形態にかかるインターホン装置１の機能構成を示す概念図である。このインターホン装
置１は、住宅など建物の玄関に設置される玄関子機３０と、建物の居室内に設置される親
機１０とを備えている。玄関子機３０は、来訪者が建物内の者を呼び出すために用いられ
る機器で、親機１０との間で無線回線Ｌにより信号の送受信を行うための送受信部（無線
送受信手段）３１と、来訪者が操作する呼出ボタン３５、来訪者の音声をキャッチするマ
イクロフォン３２、親機１０からの応答音声を発するスピーカ３３、来客を撮影するＣＣ
Ｄカメラ３４を備えて構成されている。なお、図示は省略するが、玄関子機３０が集合住
宅用の機器である場合は、該玄関子機３０の前面に表札を取り付けるための表札部を有す
ることがある。
【００１６】
親機１０は、玄関子機３０からの呼び出しに応答すると共に、玄関子機３０との間で音
声通信や画像通信を行うため機器である。親機１０は、アンテナ１１ａを介して玄関子機
３０や後述する防犯装置４０などの外部機器との間で無線信号を送受信するための送受信
部（無線送受信手段）１１と、送受信部１１に接続されたインターフェイス１２と、親機
１０の各部を制御するための主制御部（ＣＰＵ）１３と、プログラムや各種情報を記憶す
るための記憶部（メモリ）１４と、各種情報の入力操作を行うための操作キー１５ａなど
で構成された操作部１５と、送受信部１１が受信した音声信号をスピーカ１８へ送ると共
にマイクロフォン１７が受けた音声を送受信部１１へ送る通話部１６と、送受信部１１が
受信した映像信号を復調する映像復調部１９と、映像復調部１９から送られる信号によっ
て映像を映し出す液晶ディスプレイ（ＬＣＤ）などからなる表示部２０と、を備えている
。記憶部１４には、親機１０や玄関子機３０や防犯装置４０に対する各種制御を行うため
のプログラム、あるいは玄関子機３０及び防犯装置４０から収集した動作履歴などの各種
情報が記憶されるようになっている。また、親機１０は、充電式電池２１の充電状態を表
示するための電池量表示ＬＥＤ２２も備えている。電池量表示ＬＥＤ２２は、満充電状態
で点灯し充電不足状態で消灯する。
【００１７】
本実施形態のインターホン装置１では、親機１０の送受信部１１は、建物に設置した防
犯装置４０との間で無線回線Ｌによる信号の送受信を行う機能を備えている。ここでの防
犯装置４０は、建物の玄関ドア４１に設置する電子錠４０−１、玄関ドア４１又は窓４２
の開閉を監視するための開閉監視センサ４０−２、窓ガラス４２ａに対する破壊行為の有
無を検知するための破壊検知センサ４０−３の少なくともいずれかであり、これらは、無
線回線Ｌにより親機１０との間で信号の送受信を行う機能を備えている。また、親機１０
は、これら電子錠４０−１、開閉監視センサ４０−２、破壊検知センサ４０−３に対する
遠隔操作を行う機能、及び電子錠４０−１、開閉監視センサ４０−２、破壊検知センサ４
０−３の動作履歴など動作情報の管理を行う機能を備えている。
【００１８】
玄関ドア４１に設置される電子錠４０−１は、詳細な図示は省略するが、例えば、数字
ボタン列を備えた押ボタン式の電子錠、あるいは磁気カードを差し込む磁気カード式の電
子錠である。また、開閉センサ４０−２は、玄関ドア４１あるいは窓４２に設置される開
閉監視用のセンサで、玄関ドア４１あるいは窓４２が不正に開けられたことを検出できる
ものである。この開閉センサ４０−２は、一例として、玄関ドア４１の本体４１ａと枠部
４１ｂとの間に設置した一対の磁気センサ４０−２ｂなどで構成することができる。また
、窓ガラス４２ａの破壊を検知する破壊センサ４０−３は、破壊行為に伴う窓ガラス４２
ａの振動を検出可能な振動センサなどで構成することができる。上記の電子錠４０−１と
開閉センサ４０−２と破壊センサ４０−３はそれぞれ、親機１０との間で無線信号の送受
信が可能な送受信部４０−１ａ，４０−２ａ，４０−３ａを備えている。送受信部４０−
１ａ，４０−２ａ，４０−３ａによる交信に用いられる無線回線Ｌの交信周波数は、２．
４ＧＨｚが望ましい。なお、ここでは、防犯装置４０として電子錠４０−１と開閉センサ
４０−２と破壊センサ４０−３を例に挙げたが、防犯装置４０は、これらうち少なくとも
いずれかであればよく、すべてが設置されている必要はない。また、上記以外の種類の防
犯装置４０を設置することも可能である。
【００１９】
一方、インターホン装置１の親機１０では、動作モードとして、玄関子機３０との交信
を行うためのインターホンモードと、電子錠４０−１の設定操作や動作履歴の管理を行う
ための電子錠モードと、開閉センサ４０−２の設定操作や動作履歴の管理を行うための開
閉センサモードと、ガラス破壊センサ４０−３の設定操作や動作履歴の管理を行うための
ガラス破壊センサモードと、を切り換えて設定できるようになっている。
【００２０】
インターホンモードでは、親機１０で玄関子機３０との交信が行える。なお、通常時は
、親機１０の動作モードは、インターホンモードになっている。あるいは、来訪者が玄関
子機３０の呼出ボタン３５を操作することで、親機１０の動作モードがインターホンモー
ドに切り換わるようになっていてもよい。来訪者による玄関子機３０での呼出ボタン３５
の操作により、マイクロフォン３２がピックアップした来訪者の音声信号と、ＣＣＤカメ
ラ３４が撮影した来訪者の映像信号とが送受信部３１から親機１０へ送信される。親機１
０では、送受信部１１で受信した信号がインターフェイス１２を介して取り込まれる。そ
の結果、受信された音声信号は、通話部１６にてスピーカ１８から呼出音を含む音声とな
って発せられる。一方、映像信号は、映像復調部１９で復調された後、来訪者の映像とし
て表示部２０に映し出される。
【００２１】
建物内の者は、親機１０のスピーカ１８から出た呼出音に応じて、親機１０の操作部１
５に設けた操作キー１５ａが備える応答ボタンを押す。これにより、玄関子機３０と親機
１０との間で通話が可能な状態となる。すなわち、建物内の者が発した音声は、マイクロ
フォン１７でピックアップされ、音声信号が通話部１６を介して送受信部１１のアンテナ
１１ａから送信される。送信された音声信号は、玄関子機３０の送受信部３１で受信され
る。これにより、玄関子機３０の内部で音声信号が音声に変換されて、スピーカ３３から
来客に向けて発せられる。
【００２２】
次に、電子錠モードでは、親機１０と電子錠４０−１との間で無線回線Ｌによる信号の
送受信が可能な状態となる。すなわち、親機１０に設置された操作部１５の操作により、
表示部２０に必要事項が表示されることで、電子錠４０−１に関する各種設定（解錠番号
の設定など）や電子錠４０−１の操作履歴の照会を行うことができる。このような操作履
歴の照会により、電子錠４０−１の操作が行われた日時や、行われた操作内容などを簡単
に確認できるようになる。
【００２３】
次に、開閉センサモードあるいは破壊センサモードでは、玄関ドア４１に設置した開閉
センサ４０−２や窓ガラス４２ａに設置した破壊センサ４０−３のオンオフ設定の切り換
えや、作動レベルの設定などの各種設定を行うことができる。また、玄関ドア４１の開閉
履歴の照会なども行うことができる。したがって、インターホン装置１の親機１０によっ
て、開閉センサ４０−２や破壊センサ４０−３を外出時にオンに切り換えたり、帰宅時に
オフに切り換えたりすることが簡単に行えるようになる。また、万一留守中に玄関ドア４
１や窓４２からの不正侵入が行なわれた場合は、親機１０がこれを検知して警報などを発
することが可能となる。また、窓ガラス４２ａが破壊された場合もそのことを検知して警
報を発することができる。
【００２４】
以上説明したように、本実施形態のインターホン装置１では、親機１０と玄関子機３０
との間で無線回線Ｌによる信号の送受信を行う送受信部１１，３１を備え、親機１０の送
受信部１１は、建物に設置した無線信号を送受信可能な防犯装置４０との間で無線回線Ｌ
による信号の送受信を行う機能を備えている。そして、このインターホン装置１の親機１
０は、送受信部１１を介して防犯装置４０に対する遠隔操作及び防犯装置４０の動作情報
の管理が行えるようになっている。したがって、インターホン装置１の親機１０で玄関子
機３０との交信及び防犯装置４０の管理を集中的に行えるので、防犯装置４０を含むイン
ターホン装置１の操作性が向上する。また、来客応答の履歴や防犯装置４０の動作履歴を
集中的に管理できるので、建物の防犯性を向上させることができる。また、玄関子機３０
及び防犯装置４０と親機１０との間で無線回線Ｌによる信号の送受信を行う送受信部１１
，３１，４０−１ａ，４０−２ａ，４０−３ａを備えたことで、インターホン装置１及び
防犯装置４０に関する有線の配線類が不要となるため、建物の室内に配設する配線類が少
なくなり、室内の美観や居住性が向上する。
【００２５】
また、本実施形態のインターホン装置１では、送受信部１１，３１，４０−１ａ，４０
−２ａ，４０−３ａによる無線回線Ｌの周波数帯として、２．４ＧＨｚを用いることがで
きる。これにより、従来、宅内の無線回線の周波数帯として広く用いられていた４２６Ｍ
Ｈｚなどの低周波数帯と比較して、送受信部１１，３１，４０−１ａ，４０−ａ，４０−
３ａ及びアンテナ１１ａなどを小型化できるので、インターホン装置１の玄関子機３０や
親機１０及び玄関ドア４１や窓４２に設置する各種の防犯装置４０のコンパクト化を図る
ことができる。また、親機１０と玄関子機３０及び防犯装置４０との交信状態を安定させ
ることができる。
【００２６】
また、本実施形態のインターホン装置１では、親機１０との間で送受信部１１による無
線送受信が可能な防犯装置４０は、玄関ドア４１に設置する電子錠４０−１、玄関ドア４
１又は窓４２の開閉を監視する開閉監視センサ４０−２、窓ガラス４２ａの破壊行為を検
知する破壊検知センサ４０−３の少なくともいずれかである。これにより、インターホン
装置１が備える一台の親機１０で、電子錠４０−１や開閉監視センサ４０−２や破壊検知
センサ４０−３に関する各種設定が簡単に行えるようになる。また、電子錠４０−１や開
閉監視センサ４０−２や破壊検知センサ４０−３に関する不正行為を検出できるようにな
ると共に、それらの動作履歴を一括して管理できるようになる。したがって、防犯装置４
０を含めたインターホン装置１の取扱性を向上させることができると共に、建物の防犯性
を向上させることができる。
【００２７】
以上本発明の実施形態を説明したが、本発明は上記実施形態に限定されるものではなく
、特許請求の範囲、及び明細書と図面に記載された技術的思想の範囲内において種々の変
形が可能である。なお直接明細書及び図面に記載のない何れの形状・構造・材質であって
も、本願発明の作用・効果を奏する以上、本願発明の技術的思想の範囲内である。たとえ
ば、上記実施形態では、電子錠４０−１を玄関ドア４１に設置した場合を示したが、電子
錠４０−１は、窓４２に設置してもよい。また、破壊検知センサ４０−３は、窓４２に設
置した場合を示したが、玄関ドア４１あるいはそれ以外の場所に設置することも可能であ
る。
【符号の説明】
【００２８】
１        インターホン装置
１０      親機
１１      送受信部（無線送受信手段）
１２      インターフェイス
１４      記憶部
１５      操作部
１６      通話部
１９      映像復調部
２０      表示部
３０      玄関子機
３１      送受信部（無線送受信手段）
４０      防犯装置
４０−１  電子錠
４０−２  開閉監視センサ
４０−３  破壊検知センサ
４１      玄関ドア
４２      窓
Ｌ        無線回線
【図１】
2010200094.tif 000003